(57)【要約】【課題】任意の扉の操作部で他扉の状態を確認できる使い勝手が改善されたセキュリティ管理システムを得る。【解決手段】１つの管理区域１に設備された複数の扉２１〜２３の各室外側に、各扉に対応してそれぞれ設けられた、個人を識別するための情報読取手段、及びこの情報読取手段の読取結果を用いて当該扉の警備情報を表示する表示手段４を有する操作部３を備えたセキュリティ管理システムにおいて、上記操作部は、任意の他扉を選択し得る選択手段５を備え、この選択手段によって選択された他扉の警備情報を自扉の表示手段に表示するようにしたものである。【選択図】図１
2008293363.tif 000002
【特許請求の範囲】
【請求項１】
１つの管理区域に設備された複数の扉の各室外側に、各扉に対応してそれぞれ設けられた個人を識別するための情報読取手段、及びこの情報読取手段の読取結果を用いて当該扉の警備情報を表示する表示手段を有する操作部を備えたセキュリティ管理システムにおいて、上記操作部は、任意の他扉を選択し得る選択手段を備え、この選択手段によって選択された他扉の警備情報を自扉の上記表示手段に表示するようにしたことを特徴とするセキュリティ管理システム。
【請求項２】
上記選択手段は、ファンクション釦、及び／またはテンキーを用いたものであることを特徴とする請求項１に記載のセキュリティ管理システム。
【請求項３】
上記表示手段は、複数のＬＥＤを用いたものであることを特徴とする請求項１または請求項２に記載のセキュリティ管理システム。
【請求項４】
上記選択手段により特定の他扉の選択があったときに、該選択された特定の他扉の警備情報を自扉の表示手段に所定時間表示した後、元の自扉の表示に復帰させるようにしたことを特徴とする請求項１ないし請求項３の何れかに記載のセキュリティ管理システム。
【請求項５】
上記表示手段は、予めグルーピングされた複数の扉の状態を集約して表示し得るように構成され、上記選択手段は該グルーピングされた複数のグループまたは部屋の番号を選択し得るように構成されていることを特徴とする請求項１ないし請求項４の何れかに記載のセキュリティ管理システム。
【発明の詳細な説明】
【技術分野】
【０００１】
この発明は、例えば入退室管理区域を有する建物などにおいて、入退室管理区域の出入口に設けられた扉の入退室を例えばカードリーダなどにより管理し、管理区域のセキュリティを施錠管理するセキュリティ管理システムに関するものである。
【背景技術】
【０００２】
１つの部屋または１つの管理区域に複数の扉が設置されているときに、その部屋を最終退出する場合は、事前に他扉全ての扉状態及びセンサー状態を他扉に設置されているカードリーダまで確認に出向き、カードリーダ表示を確認し最終退出する自扉のカードリーダにて最終退室操作を行うことでセキュリティ管理を実現している。また、他扉の扉状態とセンサー状態を集約し自扉で表示することも行なわれている。さらに、複数の端末の内の任意の端末で要求された情報を当該端末に表示する技術として、経路案内を受けるユーザーが行き先情報を入力するための複数の入力手段と、前記各入力手段にそれぞれ付随して前記行き先情報と現在位置情報とを送信すると共に受信された経路案内情報を表示するためのローカル端末と、前記ローカル端末から伝送された行き先情報と現在位置情報を処理して現在位置から行き先にユーザーを誘導するための経路案内情報を前記ローカル端末に伝送するためのホストコンピュータと、経路案内のための情報を格納されて行き先情報と現在位置情報に基づいて現在位置から行き先にユーザーを誘導するための経路案内情報を作成するときにホストコンピュータからアクセスされるデータベースとを備えたものがある（例えば特許文献１参照。）。
【０００３】
【特許文献１】特開平６−１１１１４４号公報（第１頁、図１）
【発明の開示】
【発明が解決しようとする課題】
【０００４】
上記のような従来のセキュリティ管理システムでは、１つの部屋（１つの管理区域）に複数の扉が設置されている場合、最終退出する扉に対応する操作部で他扉の状態が特定できないため、他扉全てに対し確認に出向いて個々に状態を確認する必要があり、使い勝手が悪いという課題があった。また、特許文献１の技術では応用することが困難であった。
【０００５】
この発明は上記のような従来技術の課題を解消するためになされたもので、任意の扉の操作部で他扉の状態を確認できる使い勝手が改善されたセキュリティ管理システムを得ることを目的としている。
【課題を解決するための手段】
【０００６】
この発明に係るセキュリティ管理システムは、１つの管理区域に設備された複数の扉の各室外側に、各扉に対応してそれぞれ設けられた個人を識別するための情報読取手段、及びこの情報読取手段の読取結果を用いて当該扉の警備情報を表示する表示手段を有する操作部を備えたセキュリティ管理システムにおいて、上記操作部は、任意の他扉を選択し得る選択手段を備え、この選択手段によって選択された他扉の警備情報を自扉の上記表示手段に表示するようにしたものである。
【発明の効果】
【０００７】
この発明においては、操作部に任意の他扉を選択し得る選択手段を備え、この選択手段によって選択された他扉の警備情報を自扉の表示手段に表示することにより、自扉の操作により指定した他扉の表示状態を自扉で表示することができる。このため、最終退室時に他扉まで確認に出向くことなく複数扉または複数部屋の状況を把握することが可能となり、使い勝手が改善される。
【発明を実施するための最良の形態】
【０００８】
実施の形態１．
図１〜図３はこの発明の実施の形態１に係るセキュリティ管理システムを説明するもので、図１は要部構成を説明する図であり、（ａ）は機器配置図、（ｂ）は図１（ａ）に示された操作部の盤面を示す正面図、図２は扉（部屋）指定操作による動作を示すフローチャート、図３はグループ指定操作による動作を示すフローチャートである。まず、本実施の形態１の構成について図１により説明する。１つの管理区域１は、例えば一つの部屋、あるいは管理区域の内部では自由に行き来ができる複数の部屋などからなる。管理区域１には、第１の扉２１、第２の扉２２、及び第３の扉２３の複数の扉が設けられ、室外側の第１〜第３の各扉２１、２２、２３の近傍にはカードリーダからなる第１の操作部３１、第２の操作部３２、第３の操作部３３がそれぞれ設けられている。なお、第１〜第３の操作部３１〜３３は互いに同様の構成でなり、以下、必要に応じて包括して操作部３と呼ぶ。
【０００９】
上記操作部３は、図１（ｂ）に示すように、状態を表示するための表示手段４、選択手段としての複数のファンクション釦５（５ａ〜５ｄ）、操作確認用ＬＥＤ６、テンキー部７などを盤面に備えている。なお、表示手段４は、この例では４つのＬＥＤ４ａ〜４ｄを有し、図示省略している個人を識別するための情報読取手段の読取結果等を用いて当該扉の警備情報を所定のＬＥＤ４ａ〜４ｄに表示する。上記の他、各扉２１〜２３には例えば公知の赤外線センサー、電気錠、開閉機構などが設けられ、各扉２１〜２３に対応する各操作部３１〜３３の間、及び各操作部３１〜３３相互を結ぶ信号等の情報を伝送するケーブル、全体を制御するコンピュータなどを備えているが、これらのハード的な部分は従来装置と同様であるので図示、及び説明を省略している。また、第１〜第３の扉２１〜２３が３つの部屋に対応したものである場合は、各扉を各部屋と見なすこともできる。
【００１０】
次に、上記のように構成された実施の形態１の動作について説明する。最終退室者は、例えば図中、第２の扉２２から退出し、第２の操作部（カードリーダ）３２にて警備開始操作を行うことで管理区域１の侵入監視を行うものとする。この場合、第２の扉２２が自扉、他の２つの扉、即ち第１の扉２１及び第３の扉２３が他扉となる。最終退室者が警備開始操作を行なうには、先ず自扉の第２の操作部３２にて他扉である第１の扉２１と第３の扉２３が閉錠であるか、施錠であるかの確認を行なう必要がある。そのような他扉の確認を行なうため、自扉の第２の操作部３２の指定された特定のファンクション釦５（例えば５ａ）を操作した後、テンキー部７の操作により他扉の番号を入力し、第１の操作部３１と第３の操作部３３の表示手段４で表示されている状態を順次第２の操作部３２の表示手段４上に置き換えて表示することで、他扉に出向くことなく確認する。
【００１１】
次に、フローチャートを参照して更に具体的に説明する。先ず、図２の扉（部屋）指定操作による動作フローチャートをもとに動作を説明する。通常は自扉用の第２の操作部３２に自扉状態が表示されている。ステップＳ１で扉（部屋）指定用のファンクション釦５ａを押下することで扉（部屋）番号入力待ちとなり、ステップＳ２で任意の扉（部屋）の番号をテンキー部７で入力指定することで、指定扉（部屋）に対して当該操作部における表示手段の表示状態を要求（ステップＳ３）し、要求した応答データを待つ（ステップＳ４）。このステップＳ４で指定扉（部屋）の状態を受け取った時点で、当該他扉（部屋）の表示状態を自扉用の第２の操作部３２の表示手段４に置き換えて表示させる（ステップＳ５）。
【００１２】
このとき、操作確認用ＬＥＤ６にて指定扉（部屋）の状態表示中であることを表示させ、その後一定時間で自扉状態表示に戻る。これにより、自扉の操作部によって他扉（部屋）の状態を出向くことなく確認することが可能となる。なお、ステップＳ２では番号入力が行なわれるまでの時間がカウントされ、タイムアウトの場合はステップＳ７でループが開始に戻される。また、ステップＳ４では応答があるまでの時間がカウントされ、同様にタイムアウトの場合はステップＳ７でループが開始に戻される。
【００１３】
次に、図３のグループ指定操作による動作フローチャートをもとに動作を説明する。なお、この場合には、表示手段４は、予めグルーピングされた複数の扉の状態を集約して表示し得るように構成され、選択手段５は該グルーピングされた複数のグループまたは部屋の番号を選択し得るように構成されている。即ち、それぞれ複数の扉が集約された複数のグループまたは部屋に番号を付与して登録しておき、所定のファンクション釦（例えば図１の５ｂ）にグループ指定用釦として設定しておく。通常は自扉用の第２の操作部３２に上記と同様に自扉状態が表示されている。グループ指定操作を行なう場合には、所定のファンクション釦５ｂを押下する（ステップＳ１１）ことで、自グループを含む任意のグループまたは部屋の番号の入力待ちとなる。
【００１４】
操作者が指定するグループの番号をテンキー部７で入力する（ステップＳ１２）ことで、指定したグループ番号に登録されている扉（部屋）の集約された情報を要求（ステップＳ１３）し、グループで集約された情報の応答を待つ（ステップＳ１４）。グループで集約された情報を受け取った時点で、自扉用の第２の操作部３２の表示手段４で集約された情報を表示させる（ステップＳ１５）。このとき、操作確認用ＬＥＤ６にて指定したグループについての集約された情報を表示中であることを表示させ、その後一定時間で自扉状態の表示に戻る。なお、ステップＳ１７及びステップＳ１８は図２の場合と同様にタイムアウトをチェックするものである。
【００１５】
上記のように、この実施の形態１によれば、操作部３に、自扉以外の任意の他扉を選択し得る選択手段５と、この選択手段によって選択された他扉の警備情報を自扉の表示手段３に表示する他扉表示手段を備えたことにより、自扉の操作により指定した全ての他扉の表示状態を自扉で表示することができる。このため、最終退室時に他扉全ての扉状態及びセンサー状態の確認に出向くことなく複数扉または複数部屋の状況を把握することが可能となる。また、グルーピングされている場合にも同様に任意の扉の操作部で他グループまたは他部屋の状況を把握することができる。また、表示手段４は既存のものをそのまま用いて他扉状態を表示することができるのでコスト増を招くことがない。更に、グループ指定操作と部屋指定操作を組み合わせることにより、一層効率的な運用が実現可能となる。
【００１６】
なお、上記実施の形態１では自扉が第２の扉２２の場合について説明したが、任意の他の扉でも同様の操作により同様の効果が期待できることはいうまでもない。また、図２のステップＳ１と図３のステップＳ１１ではファンクション釦を用いるように説明したが、これに限定されるものではなく、例えば図２のステップＳ１の部屋指定用ファンクション釦の代わりに、テンキー部７にて部屋指定操作用暗証番号を入力することによりステップ２へ移行するようにしてもよい。また、同様に図３のステップＳ１１のグループ指定用ファンクション釦の代わりに、テンキー部７にてグループ指定操作用暗証番号を入力することによりステップＳ１２へ移行するようにすることもできる。
【００１７】
また、図示省略している個人を識別するための情報読取手段を操作部３と同一の筐体に設け、あるいは、操作部３の表示手段４をファンクション釦５やテンキー部７と別の筐体に分離しても差し支えない。さらに、選択手段としてファンクション釦５とテンキー部７を用いたが何れか一方のみで選択できるようにすることも差し支えない。その他、扉の数を変更し、あるいは表示手段として例えば液晶表示装置を追加し、あるいは、カードリーダを生体認証方式に変更するなど、この発明の範囲内で種々の変形や変更が可能であることは当然である。
【図面の簡単な説明】
【００１８】
【図１】この発明の実施の形態１に係るセキュリティ管理システムの要部構成を説明する図であり、（ａ）は機器配置図、（ｂ）は図１（ａ）に示された操作部の盤面を示す正面図である。
【図２】図１のシステムによる扉（部屋）指定操作による動作を示すフローチャートである。
【図３】図１のシステムによるグループ指定操作による動作を示すフローチャートである。
【符号の説明】
【００１９】
１  管理区域（部屋）、  ２１  第１の扉、  ２２  第２の扉、  ２３  第３の扉、  ３  操作部（カードリーダ）、  ３１  第１の操作部、  ３２  第２の操作部、  ３３  第３の操作部、  ４  表示手段、  ４ａ、４ｂ、４ｃ、４ｄ  ＬＥＤ、  ５（５ａ〜５ｄ）  ファンクション釦（選択手段）、  ６  操作確認用ＬＥＤ、  ７  テンキー部。
【図１】
2008293363.tif 000003
【図２】
2008293363.tif 000004
【図３】
2008293363.tif 000005